(57)【要約】【課題】偽造防止テープセットを提供する。【解決手段】複数のシート状偽造防止テープと、シート状偽造防止テープが表面に積層されるための積層本体と、該積層されたシート状偽造防止テープの表面の一部を固定するためのクリップ部材と、を備える偽造防止テープセットにおいて、該シート状偽造防止テープは、第１の表面およびこの第１の表面とは反対側の第２の表面を有する基材と、該基材の第２の表面に形成された粘着部及び引き剥がし部と、を有し、該シート状偽造防止テープのそれぞれは、テープ基材の第２の表面が積層本体へ向くように該積層本体の表面に積層されている。該偽造防止テープセットは、物品のシール状態の表示のみならず、使用しやすいという特徴があり、且つ、該テープセットのテープを使い終えた後、残った部材をリサイクル利用することができるため、環境保護にも一役買う。【選択図】  図１Ａ
0003143168.tif 000002
【実用新案登録請求の範囲】
【請求項１】
複数のシート状偽造防止テープと、
前記シート状偽造防止テープが表面に積層されるための積層本体と、
前記積層されたシート状偽造防止テープの表面の一部を固定するためのクリップ部材と、を備え、
前記シート状偽造防止テープは、第１の表面およびこの第１の表面とは反対側の第２の表面を有する基材と、前記基材の第２の表面に形成された粘着部および引き剥がし部とを有し、前記シート状偽造防止テープのそれぞれは、前記基材の第２の表面が前記積層本体へ向くように前記積層本体の表面に積層されていることを特徴とする偽造防止テープセット。
【請求項２】
前記粘着部が、
前記基材の第２の表面に形成され、引き剥がし標示を表示するための印字層と、
前記印字層と、前記基材の第２の表面に前記印字層が形成されていない部分とを被覆した固着色層と、
前記固着色層の表面に形成され、前記偽造防止テープを被シール物に粘着するための粘着層と、
を備えていることを特徴とする請求項１に記載の偽造防止テープセット。
【請求項３】
前記粘着層と前記固着色層との間に、別の粘膜層をさらに備えていることを特徴とする請求項２に記載の偽造防止テープセット。
【請求項４】
前記印字層の前記固着色層に対する粘着力が、前記粘膜層の前記固着色層に対する粘着力より小さく、かつ前記基材の前記印字層に対する粘着力より小さく、また、前記基材の前記固着色層に対する粘着力が、前記粘膜層の前記固着色層に対する粘着力より大きいことを特徴とする請求項３に記載の偽造防止テープセット。
【請求項５】
前記粘着層と前記固着色層との間に、非離脱層をさらに備えていることを特徴とする請求項２に記載の偽造防止テープセット。
【請求項６】
前記粘着層の前記固着色層に対する粘着力が、前記固着色層の前記印字層に対する粘着力より大きいが、前記固着色層の前記基材に対する粘着力より小さいことを特徴とする請求項２に記載の偽造防止テープセット。
【請求項７】
前記粘着部が、前記基材の第２の表面の一方側に形成され、前記引き剥がし部が、前記基材の第２の表面の他の側に形成されていることを特徴とする請求項１に記載の偽造防止テープセット。
【請求項８】
前記複数のシート状偽造防止テープは、外層のテープの引き剥がし部１１６が形成された側が、内層のテープの粘着部１１４が形成された側に接合するように、該積層本体表面に向きを交互にして積層されていることを特徴とする請求項７に記載の偽造防止テープセット。
【請求項９】
前記積層本体の表面に積層された複数のシート状偽造防止テープの最外層には、長さが前記シート状偽造防止テープよりも小さい起し用部が粘着されていることを特徴とする請求項１に記載の偽造防止テープセット。
【請求項１０】
前記積層本体が、中空円柱状本体を備えていることを特徴とする請求項１に記載の偽造防止テープセット。
【請求項１１】
前記クリップ部材が、第１の環形クリップ部材と第２の環形クリップ部材とからなることを特徴とする請求項１０に記載の偽造防止テープセット。
【請求項１２】
前記環形クリップ部材は、前記円柱状本体の中空構造に深く入り込む軸心部分と、前記円柱状本体の表面に積層された複数のシート状偽造防止テープの表面の一部を収容するための環形凹溝と、を有し、前記第１の環形クリップ部材の軸心部分の軸半径を、前記第２の環形クリップ部材の軸心部分の軸半径より小さくすることにより、前記第１の環形クリップ部材の軸心部分が前記第２の環形クリップ部材の軸心内部に嵌入し、前記円柱状本体の幅に基づいて前記第１の環形クリップ部材と前記第２の環形クリップ部材との結合の深さを調整することで、前記円柱状本体の表面に積層された複数のシート状偽造防止テープの一部が前記環形凹溝内に収容されることを特徴とする請求項１１に記載の偽造防止テープセット。
【請求項１３】
複数の前記シート状偽造防止テープが積層された前記円柱状本体および前記クリップ部材を収容するための基台をさらに備えていることを特徴とする請求項１１に記載の偽造防止テープセット。
【請求項１４】
前記基台には収容領域が設けられ、前記円柱状本体の幅に基づいて前記収容領域の範囲を調整することにより、複数の前記シート状偽造防止テープが積層された前記円柱状本体および前記クリップ部材が前記基台の収容領域内に固定されることを特徴とする請求項１３に記載の偽造防止テープセット。
【考案の詳細な説明】
【技術分野】
【０００１】
本考案は、テープセットに関し、特に物品のシール状態を示すための偽造防止テープセットに関するものである。
【背景技術】
【０００２】
日常生活の中で、包装したい物品をテープでシールすることがよくある。包装の安全性に対する消費者の要求の高まりに伴い、例えば、重要書類袋、宅配便袋、現金袋、裁判所証拠品袋、電子商品または規制薬品の封印、証明書類、ダンボール、引き出し、セーフティボックス、自動車のレッカー移動作業等の封印等に適用され、偽造防止機能を有するテープは進化しつつある。
【０００３】
偽造防止テープとしては、主に、テープの基材に偽造防止標示を有するコーティング層が塗布され、該コーティング層の上に接着剤が塗布されることにより、物品の上にシールされる。物品上にシールされたシールテープが引き剥がされた後、テープの表面には「開封済み」または「使用済み」等の文字パターンが表示されることにより、偽造防止標示の効果が図られる。
【考案の開示】
【考案が解決しようとする課題】
【０００４】
従来の偽造防止テープは巻き取りタイプが多く、使用者はハサミまたはブレードを利用してテープを適当な長さに切断し、シールしたい物品に接着せねばならない。重要書類や物品を大量かつスピーディにシールしたい場合、使用者にとってこれは極めて不便である。テープの表面にトレンチが設けられることにより使用者がハサミやブレードを使用することなく適当な長さに切断できるブレード不要のテープ設計が市場に出回っているが、偽造防止テープとしては、その偽造防止標示の文字表示効果が主に各層間の接着力の差異により生じるため、使用時に力が不当に加わると、シールする前に「開封済み」または「使用済み」という偽造防止標示の文字パターンが表示されてしまい、偽造防止標示の効果を十分に果たすことができないおそれがあった。
【０００５】
また、巻き取りタイプのテープは、異なる型、サイズ、色標示または分類を必要とする使用者にとっては、複数のテープを同時に準備しなければならないので、格納のスペースを余計に取る必要があり、使用にも不便である。
【０００６】
従って、使用が便利で、偽造防止標示の効果に影響を与えない偽造防止テープセットの提供が必要なのである。
【０００７】
そこで、以上のとおりの事情に鑑み、本考案は、使用を容易にするための偽造防止テープセットを提供することを課題とする。
【０００８】
また、本考案は、重複して使用できる偽造防止テープセットを提供することを課題とする。
【０００９】
さらにまた、本考案は、異なるサイズ、色または種類のテープを１か所に備える偽造防止テープセットを提供することを課題とする。
【課題を解決するための手段】
【００１０】
上記の課題を解決するために、本考案に係る偽造防止テープセットは、複数のシート状偽造防止テープと、該シート状偽造防止テープが表面に積層されるための積層本体と、該積層されたシート状偽造防止テープの表面の一部を固定するためのクリップ部材と、を備え、該シート状偽造防止テープは、第１の表面およびこの第１の表面とは反対側の第２の表面を有する基材と、該基材の第２の表面に形成された粘着部及び引き剥がし部と、を有し、該シート状偽造防止テープのそれぞれは、テープ基材の第２の表面が積層本体へ向くように該積層本体の表面に積層されている。
【００１１】
また、本考案に係る偽造防止テープセットは、複数のシート状偽造防止テープと、シート状偽造防止テープが表面に積層された中空円柱状本体と、該積層されたシート状偽造防止テープの一部を固定するための第１および第２の環形クリップ部材と、を備えている。該第１および第２の環形クリップ部材のそれぞれには該円柱状本体の中空構造に深く入り込む軸心部分と、該円柱状本体表面に積層された複数のシート状偽造防止テープの表面の一部を収容するための環形凹溝と、を有し、該第１のクリップ部材の軸心部分の軸半径を、該第２のクリップ部材の軸心部分の軸半径より小さくすることにより、該第１のクリップ部材の軸心部分が該第２のクリップ部材の軸心内部に嵌入し、該円柱状本体の幅に基づいて該第１のクリップ環形部材と該第２のクリップ環形部材との結合の深さを調整することで、該円柱状本体表面に積層された複数のシート状偽造防止テープの表面の一部が該環形凹溝内に収容される。
【００１２】
さらにまた、本考案に係る偽造防止テープセットは、複数のシート状偽造防止テープと、シート状偽造防止テープが表面に積層された中空円柱状本体と、該積層されたシート状偽造防止テープの表面の一部を固定し、該円柱状本体の幅に基づいて結合の深さを調整するための第１および第２の環形クリップ部材と、複数のシート状偽造防止テープが積層された円柱状本体およびクリップ部材を収容するための基台と、を備えている。該基台には収容領域が設けられ、該円柱状本体の幅に基づいて該収容領域の範囲を調整することにより、複数のシート状偽造防止テープが積層された円柱状本体およびクリップ部材が該基台の収容領域内に固定される。
【考案の効果】
【００１３】
本考案に係る偽造防止テープセットは、物品のシール状態の表示のみならず、使用しやすいという特徴があり、かつ、該テープセットのテープを使い終えた後、残った部材をリサイクル利用することができるため、環境保護にも一役買う。また、該偽造防止テープセットは、接着される物品のシール状態の識別を容易に管理でき、さらに積層された偽造防止テープのそれぞれが異なるサイズ、色または種類であってもよいため、産業利用価値も高まる。
【考案を実施するための最良の形態】
【００１４】
以下、本考案を実施の形態に基づいてさらに詳細に説明するが、本考案は、これらの実施の形態に限定されるものではなく、明細書に記載の内容は、この技術分野に精通した者なら簡単に本考案のその他の利点や効果が理解できる。
（第１の実施形態）
【００１５】
図１Ａないし図１Ｄは、本考案に係る偽造防止テープセットの第１の実施形態を示す。図１Ａに示すように、本考案に係る偽造防止テープセット１００は、複数のシート状偽造防止テープ１１０と、シート状偽造防止テープ１１０が表面に積層されるための積層本体１２０と、該積層されたシート状偽造防止テープ１１０の表面の一部を固定するためのクリップ部材１３０と、を備えている。図１Ｂに示すように、シート状偽造防止テープ１１０のそれぞれは、第１の表面１１２ａおよびこの第１の表面１１２ａとは反対側の第２の表面１１２ｂを有する基材１１２を備え、該基材（１１２）の第２の表面の一方側には偽造防止粘着層からなる粘着部１１４が粘着され、該基材（１１２）の第２の表面において偽造防止粘着層が粘着されていない他の側には引き剥がし部１１６が形成され、シート状偽造防止テープのそれぞれは、テープ基材の第２の表面が積層本体へ向くように該積層本体の表面に積層されている。
【００１６】
具体的な実施形態において、図１Ｃに示すように、該複数のシート状偽造防止テープは、外層のテープの引き剥がし部１１６が形成された側が、内層のテープの粘着部１１４が形成された側に接合するように、該積層本体表面に向きを交互にして積層されている。本考案に係る偽造防止テープセットでは、図１Ｄに示すように、クリップ部材１３０は積層された該シート状偽造防止テープ１１０の表面の一部のみを固定し、外層のシート状偽造防止テープ１１０’が引き出されたとき、外層のシート状偽造防止テープ１１０’の偽造防止粘着部１１４’によって内層のシート状偽造防止テープ１１０’’の引き剥がし部１１６’’がクリップ部材１３０の上部表面まで引かれてこの上部表面上に載る（引き剥がし部なので接着されません）。このため、使用するたびに使用者がテープを容易に引き出すことができる。
【００１７】
一方、該交互に積層された複数のシート状偽造防止テープの最外層には、接着部および引き剥がし部を備えた起し用部（図示せず）がさらに設けられてよい。該起し用部は、粘着部が形成された側を、テープの引き剥がし部が形成された側に接合するように、積層されたシート状偽造防止テープの最外層に粘着されている。該起し用部の長さが該シート状偽造防止テープより短いため、該起し用部の引き剥がし部がクリップ部材に固定されず、使用者がそれをそのまま引き出して内層のシート状偽造防止テープの引き剥がし部をクリップ部材の上部表面まで引いてその上に載せることで、本考案に係るテープセットの使用を開始することができる。
（第２の実施形態）
【００１８】
図２は、本考案に係る偽造防止テープセットの第２の実施形態を示す。この具体的な実施形態において、本考案に係る偽造防止テープセット２００は、複数のシート状偽造防止テープ２１０と、シート状偽造防止テープが表面に積層されるための中空円柱状本体２２０と、該積層されたシート状偽造防止テープの表面の一部を固定するための第１の環形クリップ部材２３０ａおよび第２の環形クリップ部材２３０ｂと、を備えている。該第１、第２の環形クリップ部材２３０ａ、２３０ｂのそれぞれは、該円柱状本体２２０の中空構造に深く入り込む軸心部分２３２と、該円柱状本体表面に積層された複数のシート状偽造防止テープの一部を収容するための環形凹溝２３４と、を備えている。第１の環形クリップ部材２３０ａの軸心部分２３２の軸半径Ｄ１を、第２の環形クリップ部材２３０bの軸心部分２３２の軸半径Ｄ２より小さくすることにより、該第１の環形クリップ部材２３０ａの軸心部分が該第２の環形クリップ部材２３０ｂの軸心内部に嵌入し、該円柱状本体の幅に基づいて該第１の環形クリップ部材２３０ａと該第２の環形クリップ部材２３０ｂとの結合の深さを調整することで、該円柱状本体表面に積層された複数のシート状偽造防止テープの表面の一部（例えば引き剥がし部が形成された端部部分）が該環形凹溝２３４内に収容される。
（第３の実施形態）
【００１９】
図３Ａおよび図３Ｂは、本考案に係る偽造防止テープセットの第３の実施形態を示す。図３Ａに示すように、本考案に係る偽造防止テープセット３００は、複数のシート状偽造防止テープ３１０と、シート状偽造防止テープが表面に積層されるための中空円柱状本体（図示せず）と、該積層されたシート状偽造防止テープの表面の一部を固定し、該円柱状本体の幅に基づいて結合の深さを調整するための第１の環形クリップ部材３３０ａおよび第２の環形クリップ部材３３０ｂと、複数のシート状偽造防止テープが積層された円柱状本体およびクリップ部材を収容するための基台３４０と、を備えている。図３Ｂに示すように、該基台３４０には複数のシート状偽造防止テープが積層された円柱状本体およびクリップ部材を収容するための収容領域３４２が設けられ、該収容領域３４２は、調整端部３４４と固定端部３４６とから構成されている。該収容領域３４２にはスライドレール３４８が設けられ、調整端部３４４が、該円柱状本体の幅に基づいて該固定端部３４６との距離をスライドレール３４８により調整することで、収容領域３４２により複数のシート状偽造防止テープが積層された円柱状本体とクリップ部材とが基台３４０に固定されるようになる。
（第４の実施形態）
【００２０】
図４Ａは、本考案に係る第４の実施形態を示す。第４の実施形態は第２の実施形態とほぼ同じであるが、主要な差異は、本実施形態の積層本体４２０が多角形中空柱体であり、積層本体のチャンバーが円柱チャンバーとなっており、円柱状本体に積層されたシート状偽造防止テープ４１０が、異なる幅サイズ、色や種類の偽造防止テープからなる点である。
【００２１】
図４Ｂに示すように、シート状偽造防止テープの基材４１２は、第１の表面４１２ａおよびこの第１の表面とは反対側の第２の表面４１２ｂを有し、該基材の第２の表面の一方側には偽造防止粘着層からなる粘着部４１４が粘着され、該基材の第２の表面において偽造防止粘着層が粘着されていない他の側には引き剥がし部４１６が形成され、該引き剥がし部は、使用者が識別・管理しやすいように、異なる色で表示することができる。粘着部４１４が形成されている偽造防止粘着層は、主に基材４１２の第２の表面に形成され、引き剥がし標示を表示するための印字層４１４２と、該印字層４１４２と基材４１２の第２の表面に印字層が形成されていない部分とを被覆した固着色層４１４４と、固着色層４１４４の表面に形成され、該偽造防止テープが被シール物４５０に粘着されるための粘着層４１４８と、を備えている。図４Ｃに示すように、該偽造防止テープが被シール物に粘着されているときには、基材の表面に開封の標示が表示されておらず、テープが引き剥がされると、図４Ｄに示すように、作用する力が印字層４１４２および固着色層４１４４に作用されることで、“開封済み”という開封標示が表示される。
【００２２】
このような偽造防止表示は、多様な方式により達成することができる。図５に示すように、該偽造防止テープの偽造防止粘着層は、基材５１２の第２の表面に形成され、引き剥がし標示を表示するための印字層５１４２と、該印字層５１４２と基材５１２の第２の表面に印字層が形成されていない部分とを被覆した固着色層５１４４と、固着色層５１４４の表面に形成された粘膜層５１４６と、粘膜層５１４６の表面に形成された粘着層５１４８と、を備えている。該偽造防止粘着層において、印字層５１４２の固着色層５１４４に対する粘着力が、粘膜層５１４６の固着色層５１４４に対する粘着力より小さく、かつ基材５１２の印字層５１４２に対する粘着力より小さく、また、基材５１２の固着色層５１４４に対する粘着力が、粘膜層５１４６の固着色層５１４４に対する粘着力より大きくされているため、テープが引き剥がされると、図４Ｄに示すように、作用する力により印字層５１４２が固着色層５１４４から分離され、“開封済み”という開封標示が表示される。
【００２３】
一方、図６に示すように、該偽造防止テープの偽造防止粘着層は、基材６１２の第２の表面に形成され、引き剥がし標示を表示するための印字層６１４２と、該印字層６１４２と基材６１２の第２の表面に印字層６１４２が形成されていない部分とを被覆した固着色層６１４４と、固着色層６１４４の表面に形成された非離脱層６１４６と、非離脱層６１４６の表面に形成された粘着層６１４８と、を備えている。該偽造防止粘着層において、粘着層６１４８の固着色層６１４４に対する粘着力が、固着色層６１４４の印字層６１４２に対する粘着力より大きいが、固着色層６１４４の基材６１２に対する粘着力より小さくされているため、テープが引き剥がされると、図４Ｄに示すように、粘着層６１４８が基材６１２から分離されていないが、作用する力により印字層６１４２と固着色層６１４４との間に間隙６１４０が形成され、“開封済み”という開封標示が表示される。
【００２４】
上記のように、これらの実施の形態は本考案の原理および効果・機能を例示的に説明するものであり、本考案は、これらによって限定されるものではない。本考案に係る実質的な技術内容は、下記の実用新案請求の範囲に定義される。本考案は、この技術分野に精通した者により実用新案請求の範囲を逸脱しない範囲で色々な修飾や変更をすることが可能であり、そうした修飾や変更は本考案の技術範囲に含まれているものである。
【図面の簡単な説明】
【００２５】
【図１Ａ】本考案に係る偽造防止テープセットの第１の実施形態を示す。
【図１Ｂ】本考案に係る偽造防止テープセットの第１の実施形態を示す。
【図１Ｃ】本考案に係る偽造防止テープセットの第１の実施形態を示す。
【図１Ｄ】本考案に係る偽造防止テープセットの第１の実施形態を示す。
【図２】本考案に係る偽造防止テープセットの第２の実施形態を示す。
【図３Ａ】本考案に係る偽造防止テープセットの第３の実施形態を示す。
【図３Ｂ】本考案に係る偽造防止テープセットの第３の実施形態を示す。
【図４Ａ】本考案に係る偽造防止テープセットの第４の実施形態を示す。
【図４Ｂ】本考案に係る偽造防止テープセットの第４の実施形態を示す。
【図４Ｃ】本考案に係る偽造防止テープセットの第４の実施形態を示す。
【図４Ｄ】本考案に係る偽造防止テープセットの第４の実施形態を示す。
【図５】本考案に係る偽造防止テープセットにおける偽造防止テープ構造を示す。
【図６】本考案に係る偽造防止テープセットにおける偽造防止テープ構造を示す。
【符号の説明】
【００２６】
１００、２００、３００  偽造防止テープセット
１１０、１１０’、１１０”、２１０、３１０、４１０  シート状偽造防止テープ
１２０、２２０、３２０、４２０  本体
１３０  クリップ部材
１１２、４１２、５１２、６１２  基材
１１２ａ、４１２ａ  第１の表面
１１２ｂ、４１２ｂ  第２の表面
１１４、１１４’、４１４  粘着部
１１６、１１６”、４１６  引き剥がし部
２３０ａ、３３０ａ  第１の環形クリップ部材
２３０ｂ、３３０ｂ  第２の環形クリップ部材
２３２  軸心部分
２３４  環形凹溝
３４０  基台
３４２  収容領域
３４４  調整端部
３４６  固定端部
３４８  スライドレール
４１４２、５１４２、６１４２  印字層
４１４４、５１４４、６１４４  固着色層
４１４８、５１４８、６１４８  粘着層
４５０  被シール物
５１４６  粘膜層
６１４０  間隙
６１４６  非離脱層
【図１Ａ】
0003143168.tif 000003
【図１Ｂ】
0003143168.tif 000004
【図１Ｃ】
0003143168.tif 000005
【図１Ｄ】
0003143168.tif 000006
【図２】
0003143168.tif 000007
【図３Ａ】
0003143168.tif 000008
【図３Ｂ】
0003143168.tif 000009
【図４Ａ】
0003143168.tif 000010
【図４Ｂ】
0003143168.tif 000011
【図４Ｃ】
0003143168.tif 000012
【図４Ｄ】
0003143168.tif 000013
【図５】
0003143168.tif 000014
【図６】
0003143168.tif 000015